(57)【要約】【課題】  映像や音声の出力先を自動的に選択する。【解決手段】  通信装置１００において、通信部５０は、所定の通信装置と通話する。音声出力制御部６６は、通信部５０における通話での音声を出力する。放送受信部４２は、音声出力制御部６６から出力すべき音声を含んだ番組であって、かつ放送されている番組を受信する。音声出力制御部６６は、受信部において受信した番組に含まれた音声が音声出力部から出力される際の出力先の候補を検出する。音声出力制御部６６では、通信部５０が通信装置からの着信を受けつけたときに、番組に含まれた音声を出力していれば、検出した出力先の候補をもとに、番組に含まれた音声の出力先を決定する。【選択図】  図２
2006203398.tif 000002
【特許請求の範囲】
【請求項１】
所定の通信装置と通話する通話部と、
前記通話部における通話での音声を出力する音声出力部と、
前記音声出力部から出力すべき音声を含んだ番組であって、かつ放送されている番組を受信する受信部と、
前記受信部において受信した番組に含まれた音声が前記音声出力部から出力される際の出力先の候補を検出する検出部とを備え、
前記音声出力部では、前記通話部が通信装置からの着信を受けつけたときに、番組に含まれた音声を出力していれば、前記検出部において検出した出力先の候補をもとに、番組に含まれた音声の出力先を決定することを特徴とする通信装置。
【請求項２】
前記音声出力部では、前記検出部において検出した出力先の候補がひとつであれば、前記通話部が通信装置からの着信を受けつけたときに、番組に含まれた音声の出力を中止することを特徴とする請求項１に記載の通信装置。
【請求項３】
前記音声出力部では、前記検出部において検出した出力先の候補がひとつであれば、前記通話部が通信装置からの着信を受けつけたときに、番組に含まれた音声と通話での音声とを合成しながら出力することを特徴とする請求項１に記載の通信装置。
【請求項４】
前記音声出力部では、前記検出部において検出した出力先の候補が複数あれば、前記通話部が通信装置からの着信を受けつけたときに、複数の出力先の候補のいずれかから番組に含まれた音声を出力し、複数の出力先の候補の残りから通話での音声を出力することを特徴とする請求項１に記載の通信装置。
【請求項５】
前記検出部において検出した出力先の候補として、内蔵の拡声器と外付けの拡声器が含まれていることを特徴とする請求項４に記載の通信装置。
【請求項６】
前記検出部において検出した出力先の候補としての外付けの拡声器は、イヤホンであり、
前記音声出力部は、内蔵の拡声器から番組に含まれた音声を出力し、イヤホンから通話での音声を出力することを特徴とする請求項５に記載の通信装置。
【請求項７】
前記検出部において検出した出力先の候補としての外付けの拡声器は、所定の外部機器に備えられた拡声器であり、
前記音声出力部は、所定の外部機器に備えられた拡声器から番組に含まれた音声を出力し、内蔵の拡声器から通話での音声を出力することを特徴とする請求項５に記載の通信装置。
【請求項８】
所定の通信装置と通話する機能と、放送されている番組を受信する機能とを有した通信装置における出力先切替方法であって、
受信した番組に含まれた音声を出力する際の出力先の候補を検出し、通信装置からの着信を受けつけたときに、番組に含まれた音声を出力していれば、検出した出力先の候補をもとに、番組に含まれた音声の出力先を決定することを特徴とする出力先切替方法。
【発明の詳細な説明】
【技術分野】
【０００１】
本発明は、出力先切替技術に関し、特に放送されている番組を出力しつつ、通話の音声を出力する出力先切替方法およびそれを利用した通信装置に関する。
【背景技術】
【０００２】
デジタル放送の受信装置に、電話回線が接続されている場合、受信装置は、デジタル放送の番組を受信しつつ、ユーザに電話サービスを提供する。このような受信装置では、視聴すべき番組の優先順位と発呼者の優先順位を予め管理しており、発呼者からの着信を受けつけたときに、両者の優先順位に応じて、電話受信、番組録画制御等を自動的に実行する（例えば、特許文献１参照。）。
【特許文献１】特開２００１−３３９６４８号公報
【発明の開示】
【発明が解決しようとする課題】
【０００３】
テレビジョン放送の番組（以下、「番組」という）を受信可能な携帯電話（以下、このような携帯電話も単に「携帯電話」という）を使用すれば、ユーザは、いつでもどこでも番組を視聴できる。このようなテレビジョン放送には、アナログテレビジョン放送の他にデジタルテレビジョン放送も含まれる。特に、デジタルテレビジョン放送における１セグメント放送は、一般的に、移動体での受信を対象にしているので、携帯電話に適している。また、携帯電話に元来備えられているＬＣＤ（Ｌｉｑｕｉｄ  Ｃｒｙｓｔａｌ  Ｄｉｓｐｌａｙ）等のディスプレイ、スピーカなどは、番組を視聴するためにも使用できるので、以上のような携帯電話では、通信と放送のための部品を共通化でき、携帯型テレビジョン受像装置を低コストによって供給できる。また通信機能を有しているため、放送と通信の融合によるメリットも期待されている。
【０００４】
本発明者はこうした状況下、以下の課題を認識するに至った。携帯電話によって通話する際、ユーザは、一般的に携帯電話に内蔵されたマイクとスピーカを使用する。そのとき、ユーザは、ディスプレイを見ることができない。そのため、ユーザにとっては、通話をしながら、番組を視聴することが困難になる。すなわち、ユーザが携帯電話によって番組を視聴しているときに着信があれば、ユーザは、番組の視聴を中止して着信に応答するか、あるいは、着信を無視して番組を視聴し、視聴の終了後に発信を実行する。一方、内蔵されたマイクとスピーカ以外の装置によって、音声や映像を出力すれば、通話と視聴を同時にできる可能性がある。そのため、内蔵されたマイクとスピーカ以外の装置の接続の状況に応じて、番組の出力先が自動的に変われば、ユーザの利便性が向上する。
【０００５】
本発明はこうした状況に鑑みてなされたものであり、その目的は、通話における音声の出力先と番組の出力先とを考慮しながら、出力先を切りかえる出力先切替方法およびそれを利用した通信装置を提供することにある。
【課題を解決するための手段】
【０００６】
上記課題を解決するために、本発明のある態様の通信装置は、所定の通信装置と通話する通話部と、通話部における通話での音声を出力する音声出力部と、音声出力部から出力すべき音声を含んだ番組であって、かつ放送されている番組を受信する受信部と、受信部において受信した番組に含まれた音声が音声出力部から出力される際の出力先の候補を検出する検出部とを備える。音声出力部では、通話部が通信装置からの着信を受けつけたときに、番組に含まれた音声を出力していれば、検出部において検出した出力先の候補をもとに、番組に含まれた音声の出力先を決定する。
【０００７】
「番組」とは、放送されているプログラムを示すが、ここでは、その内容も含むものとする。すなわち、番組は、放送されている音声、放送されている映像、それらの組合せを示してもよいものとする。
【０００８】
この態様によると、番組に含まれた音声の出力先の候補を検出してから、番組に含まれた音声の出力先を決定するので、番組に含まれた音声の出力先の候補が検出できれば、通話を実行しつつ、番組に含まれた音声を出力できる。
【０００９】
音声出力部では、検出部において検出した出力先の候補がひとつであれば、通話部が通信装置からの着信を受けつけたときに、番組に含まれた音声の出力を中止してもよい。この場合、番組に含まれた音声の出力を中止するので、通話を実行できる。
【００１０】
音声出力部では、検出部において検出した出力先の候補がひとつであれば、通話部が通信装置からの着信を受けつけたときに、番組に含まれた音声と通話での音声とを合成しながら出力してもよい。この場合、番組に含まれた音声と通話での音声とを合成しながら出力するので、出力先の候補がひとつであっても、番組に含まれた音声を出力できる。
【００１１】
音声出力部では、検出部において検出した出力先の候補が複数あれば、通話部が通信装置からの着信を受けつけたときに、複数の出力先の候補のいずれかから番組に含まれた音声を出力し、複数の出力先の候補の残りから通話での音声を出力してもよい。この場合、複数の出力先の候補のそれぞれから、番組に含まれた音声と、通話での音声を出力するので、互いに妨害させずに出力できる。
【００１２】
検出部において検出した出力先の候補として、内蔵の拡声器と外付けの拡声器が含まれていてもよい。「内蔵の拡声器」とは、通信装置に内蔵されたスピーカを示し、「外付けの拡声器」は、通信装置に接続されるイヤホン、ヘッドホン、スピーカを示す。
【００１３】
検出部において検出した出力先の候補としての外付けの拡声器は、イヤホンであり、音声出力部は、内蔵の拡声器から番組に含まれた音声を出力し、イヤホンから通話での音声を出力してもよい。この場合、ユーザは、内蔵の拡声器を使用しながら、番組に含まれた音声を聞き、イヤホンを使用しながら、通話での音声を聞くことができる。
【００１４】
検出部において検出した出力先の候補としての外付けの拡声器は、所定の外部機器に備えられた拡声器であり、音声出力部は、所定の外部機器に備えられた拡声器から番組に含まれた音声を出力し、内蔵の拡声器から通話での音声を出力してもよい。「所定の外部機器」は、スピーカを備えた表示装置を含み、音声を出力する機能を有していればよい。この場合、ユーザは、外部機器に備えられた拡声器を使用しながら、番組に含まれた音声を聞き、内蔵の拡声器を使用しながら、通話での音声を聞くことができる。
【００１５】
本発明の別の態様は、出力先切替方法である。この方法は、所定の通信装置と通話する機能と、放送されている番組を受信する機能とを有した通信装置における出力先切替方法であって、受信した番組に含まれた音声を出力する際の出力先の候補を検出し、通信装置からの着信を受けつけたときに、番組に含まれた音声を出力していれば、検出した出力先の候補をもとに、番組に含まれた音声の出力先を決定する。
【００１６】
本発明のさらに別の態様もまた、出力先切替方法である。所定の通信装置と通話するステップと、通話するステップにおける通話での音声を出力するステップと、出力するステップから出力すべき音声を含んだ番組であって、かつ放送されている番組を受信するステップと、受信するステップにおいて受信した番組に含まれた音声が出力するステップにおいて出力される際の出力先の候補を検出するステップとを備える。出力するステップでは、通信装置からの着信を受けつけたときに、番組に含まれた音声を出力していれば、検出するステップにおいて検出した出力先の候補をもとに、番組に含まれた音声の出力先を決定する。
【００１７】
出力するステップでは、検出するステップにおいて検出した出力先の候補がひとつであれば、通信装置からの着信を受けつけたときに、番組に含まれた音声の出力を中止してもよい。出力するステップでは、検出するステップにおいて検出した出力先の候補がひとつであれば、通信装置からの着信を受けつけたときに、番組に含まれた音声と通話での音声とを合成しながら出力してもよい。出力するステップでは、検出するステップにおいて検出した出力先の候補が複数あれば、通信装置からの着信を受けつけたときに、複数の出力先の候補のいずれかから番組に含まれた音声を出力し、複数の出力先の候補の残りから通話での音声を出力してもよい。
【００１８】
検出するステップにおいて検出した出力先の候補として、内蔵の拡声器と外付けの拡声器が含まれていてもよい。検出するステップにおいて検出した出力先の候補としての外付けの拡声器は、イヤホンであり、出力するステップは、内蔵の拡声器から番組に含まれた音声を出力し、イヤホンから通話での音声を出力してもよい。検出するステップにおいて検出した出力先の候補としての外付けの拡声器は、所定の外部機器に備えられた拡声器であり、出力するステップは、所定の外部機器に備えられた拡声器から番組に含まれた音声を出力し、内蔵の拡声器から通話での音声を出力してもよい。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、通話における音声の出力先と番組の出力先とを考慮しながら、出力先を切りかえることができる。
【発明を実施するための最良の形態】
【００２１】
本発明を具体的に説明する前に、概要を述べる。本発明の実施例は、番組を受信可能な携帯電話（以下、「通信装置」という）に関する。本実施例に係る通信装置は、通話における音声の出力、および番組に含まれた音声の出力のためにスピーカを内蔵し（以下、このようなスピーカを「内蔵スピーカ」という）、通話における音声の入力のためにマイクを内蔵する（以下、このようなマイクを「内蔵マイク」という）。さらに、通信装置は、所定の情報の表示、および番組に含まれた映像の表示のためにＬＣＤを内蔵する。すなわち、通信装置に内蔵されたこれらの構成要素は、番組の視聴と通話のために使用されるので、番組の視聴と通話との同時の実行が困難になる。一方、通信装置にイヤホンマイクが接続されれば、音声の出力先が複数になるので、番組の視聴と通話との同時の実行が可能になる。通信装置は、番組を視聴しているときに着信があった場合、ユーザの操作を簡易にするために、以下の処理を実行する。
【００２２】
通信装置は、着信があれば、イヤホンマイクが接続されているかを確認する。イヤホンマイクが接続されていれば、通信装置は、イヤホンマイクによって通話の処理を実行し、内蔵スピーカから番組に含まれた音声を出力する。また、ＬＣＤにおいては、番組に含まれた映像の出力を継続する。その結果、番組の視聴と通話との同時の実行が可能になる。一方、イヤホンマイクが接続されていなければ、通信装置は、内蔵スピーカと内蔵マイクによって通話の処理を実行し、番組の出力を中止する。その結果、番組の視聴と通話とを同時に実行しない。すなわち、通信装置は、番組を視聴しているときに着信があった場合、イヤホンマイク等の接続状況から、番組の視聴を継続しながら通話できるかを自動的に判別し、映像の表示や音声の入出力に使用すべき装置を適切に設定する。その結果、ユーザの操作も簡易になる。
【００２３】
図１は、本発明の実施例に係る通信装置１００の外観を示す図である。通信装置１００は、ＬＣＤ１０、内蔵スピーカ１２、内蔵マイク１４、操作部１６、イヤホンマイク接続部１８、出力機器接続部２０を含む。また、通信装置１００は、イヤホンマイク２２、外部ディスプレイ機器２８を接続する。イヤホンマイク２２は、外付マイク２４、外付イヤホン２６を含み、外部ディスプレイ機器２８は、外部スピーカ３０、外部表示部３２を含む。
【００２４】
通信装置１００は、折りたたみ機構を有した携帯電話を示すが、これに限定されることはなく、その他の形状を有していてもよい。ＬＣＤ１０は、番組に含まれた映像、所定の情報を表示する。所定の情報には、着信する際の電話番号等が含まれる。内蔵スピーカ１２は、番組に含まれた音声、通話における音声を出力する。内蔵マイク１４は、通話における音声を入力する。なお、通話を実行する際に、内蔵スピーカ１２と内蔵マイク１４は、組み合わされて使用されるものとする。すなわち、内蔵スピーカ１２と内蔵マイク１４の両者が、通話に使用されているか、あるいは使用されていないかのいずれかであるとする。操作部１６は、ユーザによって所定の指示が入力されるボタン等である。操作部１６は、ボタン以外に所定のダイヤル等を含んでもよい。
【００２５】
イヤホンマイク接続部１８は、通信装置１００の外部に存在するイヤホンマイク２２を接続する。イヤホンマイク２２に含まれる外付マイク２４は、音声を入力する機能を有し、イヤホンマイク２２に含まれる外付イヤホン２６は、音声を出力する機能を有する。イヤホンマイク２２は、通話において使用され、また番組に含まれた音声を出力するために使用される。そのため、イヤホンマイク接続部１８は、外付イヤホン２６、図示しないヘッドホン、図示しないスピーカ装置などの外部音声出力装置を接続し、外部音声出力装置に応じた音声の信号を出力する。また、イヤホンマイク接続部１８は、外付マイク２４などの外部音声入力装置を接続し、音声の信号を入力する。
【００２６】
出力機器接続部２０は、通信装置１００の外部に存在する外部ディスプレイ機器２８を接続する。外部ディスプレイ機器２８に含まれる外部スピーカ３０は、音声を出力する機能を有し、外部ディスプレイ機器２８に含まれる外部表示部３２は、映像を出力する機能を有する。外部スピーカ３０は、番組に含まれた音声を出力するために使用される。また、外部表示部３２は、番組に含まれた映像を表示するために使用される。そのため、出力機器接続部２０は、外部ディスプレイ機器２８、図示しない家庭用テレビ、図示しないパソコン用ディスプレイ、図示しないカーナビゲーション装置のディスプレイ、図示しない液晶プロジェクターなどの外部表示装置と接続し、外部表示装置に応じた信号を発信する。ここで、信号には、映像に関する信号と、音声に関する信号が含まれる。
【００２７】
図示のごとく、通信装置１００が、イヤホンマイク２２と外部ディスプレイ機器２８とを接続することによって、通信装置１００は、通話における音声を、内蔵スピーカ１２、外付イヤホン２６から出力でき、内蔵マイク１４、外付マイク２４から入力できる。また、番組に含まれた音声を、内蔵スピーカ１２、外付イヤホン２６、外部スピーカ３０から出力できる。さらに番組に含まれた映像を、ＬＣＤ１０、外部表示部３２から表示できる。このように、音声や映像を入出力すべき対象として、複数の候補が備えられることによって、番組の視聴と通話を同時に実行できる。また、通信装置１００は、イヤホンマイク２２と外部ディスプレイ機器２８を必ずしも接続する必要はなく、それらのうちの一方を接続し、あるいはいずれも接続しなくてもよい。通信装置１００は、イヤホンマイク２２や外部ディスプレイ機器２８の接続の状況に応じて、通話と番組の視聴に使用すべき対象を自動的に切りかえる。以下、切りかえるための機能について説明する。
【００２８】
図２は、通信装置１００の構成を示す。通信装置１００は、放送用アンテナ４０、放送受信部４２、デスクランブラ４４、ＤＥＭＵＸ（Ｄｅｍｕｌｔｉｐｌｅｘｅｒ）４６、通信用アンテナ４８、通信部５０、中央制御部５２、表示処理部５４、音声処理部５６を含む。また、通信装置１００は、図１に示したＬＣＤ１０から出力機器接続部２０も含む。表示処理部５４は、映像用デコーダ５８、描画部６０、表示制御部６２を含み、音声処理部５６は、音声用デコーダ６４、音声出力制御部６６、音声入力制御部６８を含み、イヤホンマイク接続部１８は、音声出力装置接続部７０、音声入力装置接続部７２を含む。
【００２９】
放送受信部４２は、放送用アンテナ４０を介して、放送されているデジタルテレビジョン放送の電波を受信する。なお、当該電波に番組が含まれている。さらに、放送受信部４２は、チューナの機能を備えており、チューナの受信周波数を所定の値に固定することによって、放送受信部４２は、受信した電波から、視聴すべき放送局に対応したチャンネルの番組を選択する。すなわち、放送受信部４２は、チューナ及び復調器の機能によって、受信した電波を復調し、ＴＳ（Ｔｒａｎｓｐｏｒｔ  Ｓｔｒｅａｍ）データに変換する。ここで、放送受信部４２は、デジタルテレビジョン放送に対応するものとして説明するが、これ以外に、アナログテレビジョン放送に対応してもよい。また、放送受信部４２でのチャンネルの設定は、操作部１６から受けつけたユーザの指示にもとづいてなされる。
【００３０】
デスクランブラ４４は、放送受信部４２から出力されたＴＳデータにかけられたスクランブルを解除する。ＤＥＭＵＸ４６では、スクランブルが解除されたＴＳデータ中のヘッダ情報にもとづいて、符号化データの内容を解析する。すなわち、スクランブルが解除されたＴＳデータは、先頭部分にヘッダ情報を配置し、それに続いて多重化された符号化データを配置する。多重化された符号化データは、映像データ、音声データ、付加データあるいはこれらの組み合わせに相当する。ＤＥＭＵＸ４６は、符号化データの解析結果をもとに、多重化された符号化データを映像データ、音声データ、付加データに分割する。ここで、音声データ及び映像データは、放送で規格化された形式によって、符号化すなわち圧縮されている。また、付加データには、字幕など、映像、音声以外の情報が含まれる。
【００３１】
通信部５０は、通信用アンテナ４８を介して、図示しない基地局装置と通信する。さらに、基地局装置を介して、通信部５０は、図示しない通信装置との通話を実行する。通信部５０は、通信部５０と基地局装置に対して適用される通信システムに応じた機能を含む。ここで、通信システムは、携帯電話システム、第二世代コードレス電話システム、第三世代携帯電話システムを含む。これらに応じた機能は、公知の技術でよいので、説明を省略する。操作部１６は、ユーザから所定の指示を受けつける。
【００３２】
中央制御部５２は、所定のデータの入出力を制御する。すなわち、ＤＥＭＵＸ４６から入力されるデータ、通信部５０との間において入出力されるデータ、操作部１６から入力されるデータ、表示処理部５４へ出力されるデータ、音声処理部５６との間において入出力されるデータに対して、所定の機能を実現するように、データの入出力を切りかえる。以下、所定の機能を説明する際に、データの送信元になる構成要素とデータの受信先になる構成要素との間のデータの伝送を説明するが、中央制御部５２による制御によって、当該伝送が実現されている。
【００３３】
音声用デコーダ６４は、音声データをデコードする。ここで、音声データは、ＡＡＣによって符号化されているので、映像用デコーダ５８は、ＡＡＣデコーダに相当する。音声用デコーダ６４は、復号した音声データを音声出力制御部６６に出力する。
【００３４】
音声出力制御部６６は、音声を出力する際の出力先を切りかえる。なお、音声には、番組に含まれた音声と通話における音声が含まれる。また、後述の表示制御部６２、音声入力制御部６８も同様の機能を有する。図１に示したように、出力先の候補には、内蔵スピーカ１２、イヤホンマイク接続部１８、出力機器接続部２０が含まれる。なお、イヤホンマイク接続部１８のうち、音声の出力には、音声出力装置接続部７０が使用される。音声出力制御部６６は、音声の出力先の候補を検出する。例えば、内蔵スピーカ１２、イヤホンマイク接続部１８、出力機器接続部２０がすべて候補となる場合もあれば、内蔵スピーカ１２、イヤホンマイク接続部１８が候補になる場合もあり、内蔵スピーカ１２だけが候補になる場合もある。ここで、イヤホンマイク接続部１８が出力先の候補となる場合とは、イヤホンマイク接続部１８に図１のイヤホンマイク２２が接続されていることに相当する。音声出力制御部６６は、インピーダンスの測定することによって、イヤホンマイク２２の接続を検出する。出力機器接続部２０も同様であってもよい。
【００３５】
音声出力制御部６６が番組に含まれた音声を出力しているときに、通話における音声を出力する場合について、番組に含まれた音声と通話における音声のそれぞれの出力先が、音声出力制御部６６に予め規定されている。当該規定は、固定の情報として音声出力制御部６６に記憶されていてもよいし、ユーザによって操作部１６を介して入力されてもよい。ここでは、後者の場合を説明する。ユーザが操作部１６を使用しながらデータを入力する際に、ＬＣＤ１０は、入力されたデータを表示する。図３は、ＬＣＤ１０に表示される設定画面を示す。「イヤホンマイクが接続されている場合」とは、イヤホンマイク接続部１８が候補になる場合に相当し、「出力機器が接続されている場合」とは、出力機器接続部２０が候補になる場合に相当し、「接続されていない場合」とは、内蔵スピーカ１２だけが候補になる場合に相当する。「テレビ音声」は、番組に含まれた音声の出力先を示し、「通話音声」は、通話における音声の出力先を示す。図示のごとく、「イヤホンマイクが接続されている場合」における「テレビ音声」は、イヤホンマイクとスピーカを含む。
【００３６】
ユーザは、操作部１６を使用しながら、イヤホンマイクとスピーカのうちのひとつを選択する。イヤホンマイクが選択されれば、「イヤホンマイクが接続されている場合」において、通話における音声も出力されているときに、音声出力制御部６６は、番組に含まれた音声の出力先として、イヤホンマイク接続部１８を選択する。一方、スピーカが選択されれば、上記の場合において、内蔵スピーカ１２が選択される。また、「出力機器が接続されている場合」や「通話音声」についても、同様である。「優先順位」は、以上の選択動作を実行する順番を示す。図示のごとく、「イヤホンマイクが接続されている場合」の優先順位が高くなるように設定され、かつ「接続されていない場合」の優先順位が低くなるように設定されている。そのため最初に、「イヤホンマイクが接続されている場合」に対応した選択が実行される。「イヤホンマイクが接続されている場合」に該当しない場合、すなわちイヤホンマイク接続部１８が出力先の候補にされていない場合に、「出力機器が接続されている場合」に対応した選択が実行される。
【００３７】
以上のようなデータの入力によって、音声出力制御部６６に記憶されるデータを説明する。図４は、音声出力制御部６６に記憶されるデータの構造を示す。ここでは、通話における音声が出力されているときに、音声出力制御部６６が選択すべき番組に含まれた音声の出力先を規定する。「音声出力装置」とは、内蔵スピーカ１２の他に、通信装置１００に接続された音声の出力先の候補を示す。「なし」とは、内蔵スピーカ１２の他に音声の出力先の候補がない場合に相当する。「イヤホンマイク接続部」とは、イヤホンマイク接続部１８が音声の出力先の候補となっている場合に相当する。「出力機器制御部」とは、出力機器接続部２０が音声の出力先の候補となっている場合に相当する。「出力先」は、「音声出力装置」に出力先の候補が接続されている場合において、番組に含まれた音声の出力先を示す。例えば、イヤホンマイク接続部１８が出力先の候補になっている場合、番組に含まれた音声は、内蔵スピーカ１２に出力される。「優先順位」は、図３と同一である。
【００３８】
図２に戻る。以上の設定がなされた音声出力制御部６６の動作を説明する。音声出力制御部６６では、通信部５０が通信装置からの着信を受けつけたときに、番組に含まれた音声を出力していれば、前述の規定をもとに、番組に含まれた音声の出力先を決定する。ここで、音声出力制御部６６では、検出した出力先の候補が複数あれば、複数の出力先の候補のいずれかから番組に含まれた音声を出力し、複数の出力先の候補の残りから通話での音声を出力する。音声出力制御部６６では、まず出力先の候補として、イヤホンマイク接続部１８が含まれているかを確認する。すなわち、イヤホンマイク２２が接続されているかどうかを判断する。
【００３９】
イヤホンマイク接続部１８が含まれている場合、イヤホンマイク接続部１８と内蔵スピーカ１２が、出力先の候補に相当する。この場合、音声出力制御部６６は、番組に含まれた音声の出力を継続したまま、通話処理を開始する。音声出力制御部６６は、規定にしたがって、内蔵スピーカ１２から番組に含まれた音声を出力し、イヤホンマイク接続部１８から通話における音声を出力する。これとは異なって、イヤホンマイク接続部１８のみに番組に含まれた音声と通話における音声を合成しながら出力してもよい。この場合、通話における音声を聞きやすくするために、通話における音声が出力されない場合よりも、番組に含まれた音声の音量が小さくされてもよい。すなわち、音声出力制御部６６では、番組に含まれた音声と通話での音声とを合成する際に、それぞれの音量が異なるように合成してもよい。なお、後述の表示制御部６２は、ＬＣＤ１０において、通話時間などの通話情報を番組に含まれた映像と合成して表示させる。
【００４０】
次に、音声出力制御部６６では、出力先の候補として、出力機器接続部２０が含まれているかを確認する。すなわち、外部ディスプレイ機器２８が接続されているかどうかを判断する。なお、前述のごとく、外部ディスプレイ機器２８には、外部スピーカ３０が備えられている。出力機器接続部２０が含まれている場合、出力機器接続部２０と内蔵スピーカ１２が、出力先の候補に相当する。この場合も、音声出力制御部６６は、番組に含まれた音声の出力を継続したまま、通話処理を開始する。音声出力制御部６６は、規定にしたがって、出力機器接続部２０から番組に含まれた音声を出力し、内蔵スピーカ１２から通話での音声を出力する。なお、後述の表示制御部６２は、外部ディスプレイ機器２８での番組の視聴を妨げないように、通話時間などの通話情報を外部表示部３２に表示させず、ＬＣＤ１０に表示させる。
【００４１】
以上の動作に続いて、音声出力制御部６６では、検出した出力先の候補がひとつであれば、すなわち内蔵スピーカ１２であれば、規定にしたがって以下のように動作する。番組に含まれた音声の出力先が内蔵スピーカ１２に設定されていれば、音声出力制御部６６は、番組に含まれた音声の出力を継続したまま、通話を開始する。すなわち、音声出力制御部６６は、番組に含まれた音声と通話での音声とを合成しながら出力する。その際に、音声出力制御部６６は、内蔵スピーカ１２から出力される音量を大きくする。また、後述の音声入力制御部６８は、内蔵マイク１４の感度を高く設定する。これらの設定によって、通信装置１００の本体をユーザから離した状態での通話、いわゆるハンズフリー通話が可能になる。一方、後述の表示制御部６２は、通話情報と番組に含まれた映像をＬＣＤ１０に合成して表示させる。
【００４２】
一方、番組に含まれた音声を出力しない設定であれば、音声出力制御部６６は、番組に含まれた音声の出力を中止し、通話における音声の出力を開始する。すなわち、通話処理を開始する。なお、通話が終了した後、すぐに番組の視聴を再開できるように、放送受信部４２からＤＥＭＵＸ４６の動作は継続されて、音声出力制御部６６と表示制御部６２による番組の出力が中止されてもよい。この場合、通話が終了した後、番組の出力の再開を迅速に実行できる。
【００４３】
すなわち、以上の動作において、音声出力制御部６６は、出力先の候補としてイヤホンマイク接続部１８を検出すれば、イヤホンマイク接続部１８に対する規定を実行し、出力先の候補としてイヤホンマイク接続部１８を検出しなければ、出力機器接続部２０の検出を実行する。音声出力制御部６６は、出力先の候補として出力機器接続部２０を検出すれば、出力機器接続部２０に対する規定を実行し、出力先の候補として出力機器接続部２０を検出しなければ、出力先の候補が内蔵スピーカ１２であるときの規定を実行する。
【００４４】
内蔵スピーカ１２、出力機器接続部２０、イヤホンマイク接続部１８は、音声出力制御部６６から出力された音声を出力する。前述のごとく、音声は、番組に含まれた音声、通話における音声を含む。ここで、イヤホンマイク接続部１８は、音声出力装置接続部７０と音声入力装置接続部７２とを含んでおり、音声の出力には、音声出力装置接続部７０が使用される。また、出力機器接続部２０は、外部スピーカ３０に音声を出力し、音声出力装置接続部７０は、外付イヤホン２６に音声を出力する。
【００４５】
音声入力制御部６８は、音声の入力元として、内蔵マイク１４とイヤホンマイク接続部１８のいずれかを選択し、入力した音声を中央制御部５２に出力する。音声入力制御部６８において制御される音声は、通話における音声に相当する。また、音声入力制御部６８における選択は、音声出力制御部６６における選択であって、かつ通話における音声の出力先の選択と対応するように実行される。すなわち、音声出力制御部６６での通話における音声の出力先と対応するように、音声出力制御部６６は、音声の入力元を選択する。例えば、音声出力制御部６６が内蔵スピーカ１２を選択すれば、音声入力制御部６８は内蔵マイク１４を選択し、音声出力制御部６６がイヤホンマイク接続部１８を選択すれば、音声入力制御部６８もイヤホンマイク接続部１８を選択する。ここで、音声入力制御部６８は、イヤホンマイク接続部１８のうちの音声入力装置接続部７２を使用する。以上の選択のために、音声入力制御部６８は、音声出力制御部６６における選択結果を受けつけてもよい。
【００４６】
映像用デコーダ５８は、映像データを復号する。ここで、映像データは、ＭＰＥＧ（Ｍｏｔｉｏｎ  Ｐｉｃｔｕｒｅ  Ｅｘｐｅｒｔｓ  Ｇｒｏｕｐ）によって符号化されているので、映像用デコーダ５８は、ＭＰＥＧデコーダに相当する。映像用デコーダ５８は、復号した映像データを表示制御部６２に出力する。
【００４７】
描画部６０は、表示すべき所定の情報を生成する。所定の情報を生成するために、番組に含まれた付加データが使用される。また、描画部６０は、中央制御部５２ともに、通信部５０での動作に対応させて、着信情報表示を実行する。着信情報表示においては、発信元の電話番号等が表示される。通信部５０が着信を検知した場合、中央制御部５２と描画部６０は、着信情報表示を行う。中央制御部５２は、通信部５０から発信元の電話番号を取得し、これをもとに図示しない携帯電話のアドレス帳を参照する。中央制御部５２は、電話番号と一致する氏名等のデータを検出した場合、それを取得する。描画部６０は、「着信」のような音声着信があることを示す文字と、氏名とを組み合わせて着信情報を生成する。
【００４８】
中央制御部５２は、アドレス帳から該当するデータを検出できない場合、氏名のかわりに電話番号から着信情報を生成する。描画部６０は、着信情報の文字コードに対応するフォント情報を図示しないフォントエリアより取得する。描画部６０は、生成した着信情報を表示制御部６２に出力する。なお、中央制御部５２が操作部１６におけるボタンの押下を検知した場合、通信部５０は、通話開始処理を開始する。一方、中央制御部５２は、着信の終了までボタンの押下などの通話開始の指示を待つが、通話開始の指示がないまま、着信が終了した場合、描画部６０は、着信があったこと示す情報を生成し、表示制御部６２に出力する。
【００４９】
表示制御部６２は、番組に含まれた映像、描画部６０において生成された情報の出力先として、ＬＣＤ１０と出力機器接続部２０のいずれかを選択し、番組に含まれた映像、描画部６０において生成された情報を出力する。ここで、番組に含まれた映像と描画部６０において生成された情報の出力先は、異なっていてもよい。また、同一であってもよいが、その際、番組に含まれた映像と描画部６０において生成された情報は、合成される。また、表示制御部６２における選択は、音声出力制御部６６における選択であって、かつ番組に含まれた音声の出力先の選択と対応するように実行される。すなわち、音声出力制御部６６での番組に含まれた音声の出力先と対応するように、表示制御部６２は、番組に含まれた映像の出力先を選択する。例えば、音声出力制御部６６が内蔵スピーカ１２を選択すれば、表示制御部６２はＬＣＤ１０を選択し、音声出力制御部６６が出力機器接続部２０を選択すれば、表示制御部６２も出力機器接続部２０を選択する。以上の選択のために、表示制御部６２は、音声出力制御部６６における選択結果を受けつけてもよい。
【００５０】
ＬＣＤ１０、出力機器接続部２０は、表示制御部６２から出力された映像や情報を出力する。出力機器接続部２０は、外部表示部３２にて表示を行う。ここで、ＬＣＤ１０のかわりに、有機ＥＬディスプレイ等が使用されてもかまわない。
【００５１】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５２】
以上の構成による通信装置１００の動作を説明する。図５は、通信装置１００における着信手順を示すフローチャートである。放送受信部４２は、番組を受信する。表示制御部６２、音声出力制御部６６は、映像用デコーダ５８、音声用デコーダ６４等を介して、番組を出力する（Ｓ１０）。通信部５０が着信を受けつける（Ｓ１２）。中央制御部５２、描画部６０は、着信の発信元に相当する電話番号から着信情報を生成する（Ｓ１４）。表示制御部６２は、着信情報を表示する（Ｓ１６）。通信部５０における着信が終了すれば（Ｓ１８のＹ）、処理を終了する。一方、通信部５０における着信が終了せず（Ｓ１８のＮ）、操作部１６から通話開始の指示があれば（Ｓ２０のＹ）、表示処理部５４、音声処理部５６等は、通話開始の処理を実行する（Ｓ２２）。通話開始の処理については、以下において詳述する。また、操作部１６から通話開始の指示がなければ（Ｓ２０のＮ）、ステップ１８に戻る。
【００５３】
図６は、通話開始処理の手順を示すフローチャートである。これは、図５のステップ２２に相当する。音声出力制御部６６は、イヤホンマイク接続部１８にイヤホンマイク２２が接続されていることを検出すれば（Ｓ５０のＹ）、音声出力制御部６６は、通話における音声の出力をイヤホンマイク接続部１８に設定しつつ、番組に含まれた音声の出力を内蔵スピーカ１２に設定し、音声入力制御部６８は、通話における音声の入力をイヤホンマイク接続部１８に設定する（Ｓ５２）。また、表示制御部６２は、番組に含まれた映像の出力をＬＣＤ１０に設定する。
【００５４】
音声出力制御部６６は、イヤホンマイク接続部１８にイヤホンマイク２２が接続されていることを検出せず（Ｓ５０のＮ）、出力機器接続部２０に外部ディスプレイ機器２８等の出力機器が接続されていることを検出すれば（Ｓ５４のＹ）、音声出力制御部６６は、通話における音声の出力を内蔵スピーカ１２に設定しつつ、番組に含まれた音声の出力を外部スピーカ３０に設定し、音声入力制御部６８は、通話における音声の入力を内蔵マイク１４に設定する（Ｓ５６）。さらに、表示制御部６２は、番組に含まれた映像の表示を外部表示部３２に設定し、通話情報の表示をＬＣＤ１０に設定する。
【００５５】
音声出力制御部６６は、出力機器接続部２０に外部ディスプレイ機器２８等の出力機器が接続されていることを検出せず（Ｓ５４のＮ）、音声出力制御部６６に視聴継続の設定がなされていれば（Ｓ５８のＹ）、音声出力制御部６６は、通話における音声の出力と、番組に含まれた音声の出力とを内蔵スピーカ１２に設定し、音声入力制御部６８は、通話における音声の入力を内蔵マイク１４に設定する（Ｓ６０）。また、音声出力制御部６６では、内蔵スピーカ１２の音量が大きくなるように設定し、音声入力制御部６８では、内蔵マイク１４の感度が高くなるように設定する。さらに、表示制御部６２は、番組に含まれた映像の表示と、通話情報の表示とをＬＣＤ１０に設定する。
【００５６】
音声出力制御部６６に視聴継続の設定がなされていなければ（Ｓ５８のＮ）、音声出力制御部６６は、通話における音声の出力を内蔵スピーカ１２に設定するが、番組に含まれた音声の出力を中止し、音声入力制御部６８は、通話における音声の入力を内蔵マイク１４に設定する（Ｓ６２）。通信部５０等は、音声通話処理を実行する（Ｓ６４）。
【００５７】
本発明の実施例によれば、番組に含まれた音声の出力先の候補を検出してから、番組に含まれた音声の出力先を決定するので、検出結果に応じて、通話を実行しつつ、番組に含まれた音声を出力できる。また、出力先の候補が通信装置に接続されたり、取り外されたりする場合であっても、自動的に出力先を決定できる。また、自動的に出力先が決定されるので、ユーザの利便性を高められる。また、出力先を決定するために、出力先の候補となるものに優先順位を付与し、優先順位にしたがいながら出力先を決定するための処理を実行するので、優先順位が高いものを出力先として決定しやすくできる。また、優先順位にしたがって処理を実行するので、段階的に処理を実行でき、ユーザの意図する出力先を決定できる。
【００５８】
また、優先順位と出力先は、自由に設定できるので、ユーザの意図を反映できる。また、出力先の候補がひとつであれば、番組に含まれた音声の出力を中止するので、通話を優先して実行できる。また、番組に含まれた音声と通話での音声とを合成しながら出力するので、出力先の候補がひとつであっても、番組に含まれた音声を出力できる。また、複数の出力先の候補のそれぞれから、番組に含まれた音声と、通話での音声を出力するので、互いに妨害させずに出力でき、ユーザは、番組の視聴と通話を同時に実行できる。また、ユーザは、内蔵スピーカを使用しながら番組に含まれた音声を聞き、イヤホンを使用しながら通話での音声を聞くことができる。
【００５９】
また、ユーザは、外部ディスプレイ機器に備えられた外部スピーカを使用しながら番組に含まれた音声を聞き、内蔵スピーカを使用しながら通話での音声を聞くことができる。また、番組に含まれた音声の出力先に対応させながら、番組に含まれた映像の出力先を決定することによって、ユーザは、通話しながらであっても、番組を視聴できる。また、通話での音声の出力先に対応させながら、通話での音声の入力元を決定することによって、ユーザは、番組を視聴しながらであっても通話を実行できる。
【００６０】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６１】
本発明の実施例において、放送受信部４２は、デジタルテレビジョン放送の番組を受信している。しかしながらこれに限らず例えば、放送受信部４２は、ラジオ放送の番組を受信してもよい。本変形例によれば、通信装置１００は、ラジオ放送を受信する場合にも適用可能になる。つまり、放送されている番組を受信する場合であればよい。
【００６２】
本発明の実施例において、音声出力制御部６６は音声の出力先を切りかえ、音声入力制御部６８は音声の入力元を切りかえ、表示制御部６２は映像等の出力先を切りかえている。しかしながらこれに限らず例えば、これらのうちのいずれかだけが動作してもよい。音声出力制御部６６は音声の出力先を切りかえ、音声入力制御部６８は音声の入力元を切りかえるが、表示制御部６２は切替を実行しなくてもよい。また、音声出力制御部６６だけが切替を実行してもよい。本変形例によれば、音声の出力先として、内蔵スピーカ１２だけが候補になっている場合であっても、ユーザは、通話を実行しつつ、ＬＣＤ１０に表示された番組の映像を見ることができる。つまり、通話に影響を与えないように、番組を視聴できればよい。
【００６３】
本発明の実施例において、音声出力制御部６６等は、イヤホンマイク接続部１８、出力機器接続部２０、接続なしの順に優先順位を付与しているので、イヤホンマイク接続部１８、出力機器接続部２０の順に接続を確認し、それぞれに対応した選択を実行している。しかしながらこれに限らず、優先順位が異なってもよい。例えば、出力機器接続部２０の接続を確認し、接続されていなければ、イヤホンマイク接続部１８の接続を確認してもよい。また、イヤホンマイク接続部１８、出力機器接続部２０、接続なしのうちのいずれかだけに対する選択肢を実行してもよい。例えば、イヤホンマイク接続部１８が候補に含まれているか否かだけを判定し、それに応じた出力先を選択してもよい。
【００６４】
また、通話を開始する際に、ユーザが出力先を選択してもよい。例えば、イヤホンマイク２２に着信ボタンが付属されており、ユーザが着信時に着信ボタンを押せば、イヤホンマイク２２による通話が開始される場合、ユーザが、イヤホンマイク２２の着信ボタンによって通話を開始すれば、イヤホンマイク２２での通話を行い、操作部１６によって通話を開始すれば、内蔵スピーカ１２、内蔵マイク１４によって通話を行う。本変形例によれば、出力先の選択をさまざまな形態によって実現できる。また、映像の出力、音声の入力についても同様である。つまり、通話を妨害しないように、番組が出力されればよい。
【００６５】
本発明の実施例において、音声出力制御部６６は、出力先の候補として、内蔵スピーカ１２、イヤホンマイク接続部１８、出力機器接続部２０を対象にしている。しかしながらこれに限らず例えば、音声出力制御部６６は、出力先の候補としてＢｌｕｅｔｏｏｔｈ接続部を対象にしてもよい。その場合、音声出力制御部６６は、Ｂｌｕｅｔｏｏｔｈによって接続されたイヤホンに音声を出力できる。表示制御部６２、音声入力制御部６８についても同様である。本変形例によれば、音声出力制御部６６、表示制御部６２、音声入力制御部６８は、さまざまな装置を対象にして選択の処理を実行できる。つまり、番組の出力や通話が、実行できればよい。
【図面の簡単な説明】
【００６６】
【図１】本発明の実施例に係る通信装置の外観を示す図である。
【図２】図１の通信装置の構成を示す図である。
【図３】図２のＬＣＤに表示される設定画面を示す図である。
【図４】図２の音声出力制御部に記憶されるデータの構造を示す図である。
【図５】図１の通信装置における着信手順を示すフローチャートである。
【図６】図５の通話開始処理の手順を示すフローチャートである。
【符号の説明】
【００６７】
１０  ＬＣＤ、  １２  内蔵スピーカ、  １４  内蔵マイク、  １６  操作部、  １８  イヤホンマイク接続部、  ２０  出力機器接続部、  ４０  放送用アンテナ、  ４２  放送受信部、  ４４  デスクランブラ、  ４６  ＤＥＭＵＸ、  ４８  通信用アンテナ、  ５０  通信部、  ５２  中央制御部、  ５４  表示処理部、  ５６  音声処理部、  ５８  映像用デコーダ、  ６０  描画部、  ６２  表示制御部、  ６４  音声用デコーダ、  ６６  音声出力制御部、  ６８  音声入力制御部、  ７０  音声出力装置接続部、  ７２  音声入力装置接続部、  １００  通信装置。
【図１】
2006203398.tif 000003
【図２】
2006203398.tif 000004
【図３】
2006203398.tif 000005
【図４】
2006203398.tif 000006
【図５】
2006203398.tif 000007
【図６】
2006203398.tif 000008